(57)【要約】【課題】壁面にムラなく透明感を出して塗料を吹き付けできる塗装方法を提供する。【解決手段】光活性を有する物質を含む粉体が混合された塗料を壁面１に吹き付け塗装する塗装方法であって、壁面１から４０ｃｍ〜５０ｃｍ離して口径０．５ｍｍ〜２ｍｍのノズル２ａから６〜８ｋｇ／ｃｍ２の高圧で塗料を巾約２０ｃｍの帯状に吹き付けてゆく工程において、巾約２０ｃｍの帯状に吹き付けた塗膜に対し、巾約１０ｃｍ重ね合わせて次の塗膜を順次形成させてゆく。【選択図】図１
2007330910.tif 000002
【特許請求の範囲】
【請求項１】
光活性を有する物質を含む粉体が混合された塗料を壁面に吹き付け塗装する塗装方法であって、
前記壁面から４０ｃｍ〜５０ｃｍ離して口径０．５ｍｍ〜２ｍｍのノズルから６〜８ｋｇ／ｃｍ２の高圧で前記塗料を巾約２０ｃｍの帯状に吹き付けてゆく工程において、該巾約２０ｃｍの帯状に吹き付けた塗膜に対し、巾約１０ｃｍ重ね合わせて次の塗膜を順次吹き付け形成させてゆくことを特徴とする塗装方法。
【請求項２】
前記壁面が外壁である場合には、雨だれ等の汚れが付き易い場所、或いは光が当たり難い場所では、前記塗膜を厚く形成させることを特徴とする請求項１に記載の塗装方法。
【請求項３】
前記壁面が室内の内壁である場合には、光が当たる所は前記塗膜を厚く形成させることを特徴とする請求項１に記載の塗装方法。
【発明の詳細な説明】
【技術分野】
【０００１】
本発明は、光活性を有する物質を含む粉体が混合された塗料を壁面に吹き付け塗装する塗装方法に関するものである。
【背景技術】
【０００２】
従来、一般的な塗料は色が付いているため、このような塗料を壁面に吹き付け塗装する場合には、塗料の色の付き具合を見ながら吹き付け塗装すれば良いが、特許文献１に開示されているような光活性を有する物質を含む粉体が混合された塗料を吹き付ける場合には、透明な塗膜を形成させて吹き付け塗装する必要があった。
【特許文献１】特開２００４−２６９７３７号公報
【発明の開示】
【発明が解決しようとする課題】
【０００３】
上記特許文献１に開示されているような塗料を透明感を出して壁面に吹き付け塗装する場合に、塗料の粒子が均一に並ぶように塗装する必要があり、また、少しでも塗膜が形成されない壁面を残してしまうと、その部分に汚れやカビ等が付き易くなり、壁面に線状等の汚れ部分が発生してしまうという問題点があった。
【課題を解決するための手段】
【０００４】
本発明は上記従来の問題点に鑑み案出したものであって、塗料中の粉体を均一に並べてムラなく壁面に吹き付け塗装することのできる塗装方法を提供するものであり、その請求項１は、光活性を有する物質を含む粉体が混合された塗料を壁面に吹き付け塗装する塗装方法であって、前記壁面から４０ｃｍ〜５０ｃｍ離して口径０．５ｍｍ〜２ｍｍのノズルから６〜８ｋｇ／ｃｍ２の高圧で前記塗料を巾約２０ｃｍの帯状に吹き付けてゆく工程において、該巾約２０ｃｍの帯状に吹き付けた塗膜に対し、巾約１０ｃｍ重ね合わせて次の塗膜を順次吹き付け形成させてゆくことである。
【０００５】
また、請求項２は、前記壁面が外壁である場合には、雨だれ等の汚れが付き易い場所、或いは光が当たり難い場所では、前記塗膜を厚く形成させることである。
【０００６】
また、請求項３は、前記壁面が室内の内壁である場合には、光が当たる所は前記塗膜を厚く形成させることである。
【発明の効果】
【０００７】
本発明は、光活性を有する物質を含む粉体が混合された塗料を壁面に吹き付け塗装する塗装方法であって、前記壁面から４０ｃｍ〜５０ｃｍ離して口径０．５ｍｍ〜２ｍｍのノズルから６〜８ｋｇ／ｃｍ２の高圧で前記塗料を巾約２０ｃｍの帯状に吹き付けてゆく工程において、該巾約２０ｃｍの帯状に吹き付けた塗膜に対し、巾約１０ｃｍ重ね合わせて次の塗膜を順次吹き付け形成させてゆくことにより、壁面にムラなく確実に塗膜を形成させてゆくことができ、塗り残しが生じることがないため、後に壁面に線状の汚れ等が発生することがなく、壁面の汚れを防止しつつ、消臭，抗菌，防カビ効果が得られる。
【０００８】
また、前記壁面が外壁である場合には、雨だれ等の汚れが付き易い場所、或いは光が当たり難い場所では、前記塗膜を厚く形成させることにより、雨だれ等の汚れが付き易い窓枠の下部等の場所、或いは光が当たり難い北側，西側の壁面等では、塗膜を厚く形成させて汚れの発生を良好に防ぐことができるものとなる。
【０００９】
また、前記壁面が室内の内壁である場合には、光が当たる所は前記塗膜を厚く形成させることにより、太陽光の入る場所や電灯の光が当たる場所では塗膜を厚く形成させて、室内の消臭，抗菌，防カビ効果をより効果的に達成することができるものとなる。
【実施例】
【００１０】
以下、本発明の実施例を図面に基づいて説明する。
本発明において、壁面に吹き付け塗装する塗料は、本発明の出願人が自ら発明し上記特開２００４−２６９７３７号公報に開示されている塗料であり、光活性を有する物質を含む粉体と、バインダー，増粘剤，分散剤，水等を所定の量混合した塗料であって、粉体は疎水性で、その比重が１．２〜４．０ｇ／ｃｍ３に設定され、粉体が２〜５０ｖｏｌ％の量混合されている。
なお、塗料中の光活性を有する物質は、リン酸カルシウムで被覆された酸化チタンや、二酸化チタンに代表される光触媒活性を有する酸化物半導体で構成され、粉体の粒径は１〜１０００ｎｍであり、またバインダーの量は粉体の量に対し０．２〜３０％に設定され、バインダーのガラス転移点が−２０℃〜３０℃に設定されたものである。
【００１１】
このような塗料を吹き付け塗装して塗膜を形成させると、塗料中の水分と一緒に光触媒活性を有する酸化物半導体等の粉体が塗膜の表層に良好に移動して、光が当たらなくても空気中の有害物質を良好に分解でき、抗菌，抗カビ性に優れ、大気による汚染や油分が雨で流された後等の汚れを目立ち難いものとすることができ、定期的な洗浄や塗り替えを行わなくても汚れない塗膜が得られるものである。
さらに外壁に限らず、このような塗料を壁紙等の内装材上に塗布することで、有害物質を良好に分解することができ、建築材料等から発生するホルムアルデヒドやアセトアルデヒド等の化学物質や、煙草の煙や室内で飼われている犬等の臭いの原因となるアンモニアや硫化水素、メチルメルカプタン等の有機化学物質（シックハウス症候群やアトピーの原因となる物質）が有効に除去できるものである。
【００１２】
このような塗料を図１に示すように、カップガン２のカップ２ｂ内に入れ、カップガン２をコンプレッサ３に繋ぎ、コンプレッサ３からの高圧でカップガン２のノズル２ａから壁面１に対し塗料を吹き付けて、壁面１に塗膜を形成させることができる。
カップガン２のノズル２ａは、その口径が０．５〜２ｍｍのものが使用され、カップガン２のカップ２ｂ内に入れられる塗料の量は２５０ｃｃ或いは１５０ｃｃ程度であり、また、コンプレッサ３から６〜８ｋｇ／ｃｍ２の高圧がカップガン２に供給されるように設定し、カップガン２のノズル２ａと壁面１間の距離を４０〜５０ｃｍに設定して、カップガン２のノズル２ａから塗料を壁面１に吹き付ける。
【００１３】
この吹き付け作業は、白濁液である塗料が壁面１に透明な塗膜として形成されるように、塗料中の粉体粒子が壁面に均一に並ぶよう塗膜の透明感を出しつつ吹き付けられ、例えば図２に示すように、先ずＡ点から横方向に帯状に塗料を吹き付けて、上下方向の巾ａが約２０ｃｍの帯状の塗膜を形成させ、下方へ折り返して左方向に帯状のｂの塗膜を形成させ、更に下方へ折り返して右方向のｃの塗膜を形成させ、更に左方向へ折り返してｄの塗膜を形成させ、更に右方向へ折り返してｅの塗膜を形成させ、更に左方向へ折り返してｆの帯状の塗膜を形成させる。
このａ，ｂ，ｃ，ｄ，ｅ，ｆの塗膜は、上下方向の巾が全て約２０ｃｍであり、それぞれ約１０ｃｍの重ね合わせ代が形成される。
【００１４】
横方向の吹き付けが終わった後に、次にＢの点から下向きに縦方向に巾約２０ｃｍの帯状に吹き付けて塗膜を形成させ、下端から折り返して上向きに吹き付けて塗膜を形成させ、また上端から折り返して下向きに吹き付けて縦方向の塗膜を形成させて、順次縦方向の塗膜をそれぞれ約１０ｃｍの重ね合わせ代を形成させて吹き付けてゆき、例えば１ｍ×１ｍの面積の壁面１に対して、横方向および縦方向の吹き付けを約１分程度のスピードで行うようにする。
なお、１ｍ×１ｍの面積を横方向および縦方向に塗布するために約５ｃｃの塗料が使用される。従って、２００ｍ２の壁面を横方向および縦方向に吹き付け塗装する時は、塗料は１ｋｇ程度必要となる。
【００１５】
このような吹き付け塗装の方法では、巾約２０ｃｍの帯状に塗料を吹き付けてゆく工程で、次の塗膜は巾約１０ｃｍ重ね合わされて順次形成されてゆくために、壁面１に塗膜がムラなく且つ隙間なく形成されてゆき、塗料中の粒子が均一に壁面に並ぶこととなり、壁面全体の汚れを長期間に亘って防ぐことができ、筋状の汚れ等が発生することがなくなる。
なお、吹き付け塗装した後には、塗料中の水分と一緒に粉体が塗膜の表層に移動し、粉体に含まれる光活性を有する物質によりホルムアルデヒド等の人体に有害な有害化学物質等を良好に除去することができ、また、大気汚染や油分による汚れ等が目立たなくなる。
なお、１ｍ２の壁面に対し約１分のスピードで横方向と縦方向の吹き付けを完了させることで、塗料の垂れ等もなくして透明感のある塗膜が形成されるものである。
【００１６】
なお、図３に示すような窓Ｗの周囲の外壁に吹き付け塗装する場合等には、窓Ｗの窓枠の左右両端側から下方に向けて雨垂れの汚れが付き易いため、窓Ｗの下側部分等では２・３回余分に帯状に吹き付けて、塗膜を他の場所よりも厚く形成させておく。これにより、窓Ｗの下部の辺りの雨垂れによる汚れを良好に防止することができるものとなる。
なお、外壁の壁面１の下地の色が黒い場合には、塗膜は薄くても、さほど汚れは目立たないが、壁面１の下地の色が白い場合には汚れが目立つために、更に３回くらい吹き付けを繰り返して塗膜を厚く形成させる必要がある。
【００１７】
さらに外壁において、光が当たり難い北側や西側の壁面においては、吹き付けの回数を余分に繰り返して塗膜を厚く形成させておく。即ち、光が当たり難い場所では光触媒的酸化還元作用による分解が遅れる場合があるので、このような北側，西側の外壁の汚れを防ぐために厚く塗膜を形成させるのである。
また、室内の内壁に塗料を吹き付け塗膜を形成させる場合においては、太陽光の入り易い場所や電灯の光の当たり易い場所では、塗膜が厚くなるように吹き付けを余分に繰り返すようにする。即ち、室内での煙草の臭いやトイレの臭い等の消臭や抗菌，防カビを良好に達成させることができるものとなる。
【図面の簡単な説明】
【００１８】
【図１】壁面に塗料を吹き付ける際のカップガンの配置構成図である。
【図２】壁面へ帯状に吹き付けた塗膜に対し、巾約１０ｃｍ重ね合わせて次の塗膜を形成させてゆく作業説明図である。
【図３】窓の周辺の外壁に塗膜を形成させた構成図である。
【符号の説明】
【００１９】
１  壁面
２  カップガン
２ａ  ノズル
２ｂ  カップ
３  コンプレッサ
【図１】
2007330910.tif 000003
【図２】
2007330910.tif 000004
【図３】
2007330910.tif 000005